(57)【要約】【課題】基地局群の位置関係やトラヒック等に応じて位置登録エリアの設定を柔軟且つ適正に行う。【解決手段】新設ＢＳは、ＧＰＳにより自局の位置情報を認識し（Ｓ０１）、同一サブネット内のＢＳ１１、１２から位置情報通知を受ける（Ｓ０３）。新設ＢＳから最も近くに位置し且つ同じサブネットアドレスを有するＢＳを隣接ＢＳとして認識し（Ｓ０４）、隣接ＢＳからマルチキャストＩＰアドレス管理テーブルを受信する。そして、当該テーブルに基づき自局のマルチキャストＩＰアドレス管理テーブルを作成し（Ｓ０７）、位置管理を行うＨＡ３０に、当該マルチキャストＩＰアドレスを持つマルチキャストグループに新設ＢＳを追加するよう要請する（Ｓ０８）。そして、当該要請に基づき当該マルチキャストグループにＢＳ１０のＩＰアドレスが追加され（Ｓ０９）、また、ＢＳ１０の上位に接続されたＲＴ２０により、ＢＳ１０への経路情報が更新される。【選択図】  図２
2004274174.tif 000002
【特許請求の範囲】
【請求項１】
複数の基地局と、複数の移動局と、インターネットプロトコル網に接続され各基地局が接続された経路選択装置と、前記インターネットプロトコル網に接続され前記移動局の移動管理を行う移動管理サーバとを含んで構成され、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成された移動通信システムにおける位置登録エリア設定方法であって、
前記移動通信システムに新設された新設基地局が、当該新設基地局の位置情報及び当該新設基地局の周辺に位置する周辺基地局の位置情報に基づいて、当該新設基地局に関する隣接基地局を認識する隣接基地局認識ステップと、
新設基地局が、隣接基地局のマルチキャストＩＰアドレス情報を収集する情報収集ステップと、
新設基地局が、隣接基地局のマルチキャストＩＰアドレスを自局のマルチキャストＩＰアドレスとして設定するアドレス設定ステップと、
新設基地局が、移動管理サーバに、前記設定に応じた自局の位置登録エリアの変更を要請する変更要請ステップと、
を有する位置登録エリア設定方法。
【請求項２】
前記隣接基地局認識ステップにて、新設基地局は、
当該新設基地局の位置情報を測定するとともに前記周辺基地局から無線又は有線にて当該周辺基地局の位置情報を収集し、当該新設基地局との距離が最短である周辺基地局を、当該新設基地局に関する隣接基地局として認識し、
前記変更要請ステップにて、新設基地局は、前記変更要請とともに、前記設定された自局のマルチキャストＩＰアドレスを、移動管理サーバ及び経路選択装置へ通知し、
移動管理サーバは、通知された新設基地局のマルチキャストＩＰアドレスを、当該新設基地局配下の移動局のマルチキャストＩＰアドレスとして登録し、
経路選択装置は、通知された新設基地局のマルチキャストＩＰアドレスを、当該新設基地局への経路情報として登録する、
ことを特徴とする請求項１記載の位置登録エリア設定方法。
【請求項３】
複数の基地局と、複数の移動局と、インターネットプロトコル網に接続され各基地局が接続された経路選択装置と、前記インターネットプロトコル網に接続され前記移動局の移動管理を行う移動管理サーバとを含んで構成され、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成された移動通信システムにおける位置登録エリア設定方法であって、
移動管理サーバが、前記移動通信システムに新設された新設基地局から、当該新設基地局の位置情報を受信する位置情報受信ステップと、
移動管理サーバが、受信した新設基地局の位置情報及び位置登録エリアの管理情報に基づいて、当該新設基地局が所属すべき位置登録エリアを選択し、選択された位置登録エリア内の基地局が形成しているマルチキャストグループに当該新設基地局を登録する登録ステップと、
を有する位置登録エリア設定方法。
【請求項４】
移動管理サーバは、
各基地局の位置情報、ＩＰアドレスにより規定される階層構造、及び各基地局が所属している位置登録エリアに対応したマルチキャストＩＰアドレスを管理しており、
前記登録ステップにて、移動管理サーバは、新設基地局の周辺に位置する周辺基地局を検出し、当該周辺基地局のうち新設基地局から最短距離に位置する基地局を隣接基地局として認識し、当該隣接基地局と同一のマルチキャストＩＰアドレスを、当該新設基地局が所属すべき位置登録エリアに対応したマルチキャストＩＰアドレスとして登録し、さらに、登録したマルチキャストＩＰアドレスを、新設基地局及び当該新設基地局までの経路上に存在する経路選択装置に通知し、
新設基地局は、
移動管理サーバから通知されたマルチキャストＩＰアドレスを設定し、
経路選択装置は、
移動管理サーバから通知されたマルチキャストＩＰアドレスを当該新設基地局の経路情報に登録する、
ことを特徴とする請求項３記載の位置登録エリア設定方法。
【請求項５】
複数の基地局と、複数の移動局と、インターネットプロトコル網に接続され各基地局が接続された経路選択装置と、前記インターネットプロトコル網に接続され前記移動局の移動管理を行う移動管理サーバとを含んで構成され、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成された移動通信システムにおける位置登録エリア設定方法であって、
複数の基地局の各々が、各基地局配下の着信トラヒック又は通信トラヒックの両方又は一方を含むトラヒック情報を測定するトラヒック測定ステップと、
複数の基地局からトラヒック情報を受信した移動管理サーバが、所定の規則に基づいて、所属先の位置登録エリアを変更すべき変更基地局、及び変更先の位置登録エリアを選択する選択ステップと、
移動管理サーバが、変更先の位置登録エリアに応じた変更基地局のマルチキャストＩＰアドレス及び位置登録エリアの変更を行う変更ステップと、
を有する位置登録エリア設定方法。
【請求項６】
前記選択ステップにて、移動管理サーバは、
トラヒック情報を通知した通知元基地局の間で当該トラヒックを比較することでトラヒックが多い基地局群を検出し、当該基地局群の各基地局の位置情報に基づいて位置登録エリアの境界に近い基地局を変更基地局として選択し、
前記変更ステップにて、移動管理サーバは、当該周辺基地局のうち最小のトラヒックを持つ周辺基地局のマルチキャストＩＰアドレスを、変更基地局の新たなマルチキャストＩＰアドレスとして割り当て、当該変更基地局及び経路選択装置に変更後のマルチキャストＩＰアドレスを通知し、
変更基地局は、前記通知を受けた場合、従前のマルチキャストＩＰアドレスを、通知されたマルチキャストＩＰアドレスに変更し、
経路選択装置は、前記通知を受けた場合、通知された情報に基づいて変更基地局への経路情報を変更する、
ことを特徴とする請求項５記載の位置登録エリア設定方法。
【請求項７】
複数の基地局と、複数の移動局と、インターネットプロトコル網に接続され各基地局が接続された経路選択装置と、前記インターネットプロトコル網に接続され前記移動局の移動管理を行う移動管理サーバとを含んで構成され、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成された移動通信システムにおける位置登録エリア設定方法であって、
複数の基地局の各々が、各基地局配下の着信トラヒック又は通信トラヒックの両方又は一方を含むトラヒック情報を測定するトラヒック測定ステップと、
複数の基地局が、所定の規則に基づいて、所属先の位置登録エリアを変更すべき変更基地局、及び変更先の位置登録エリアを選択する選択ステップと、
複数の基地局が、変更先の位置登録エリアに応じた変更基地局のマルチキャストＩＰアドレス及び位置登録エリアの変更を移動管理サーバに要請する変更要請ステップと、
を有する位置登録エリア設定方法。
【請求項８】
前記選択ステップにて、各基地局は、
自局の周辺に位置する周辺基地局を認識し、測定で得られたトラヒック情報を周辺基地局との間で相互に送受信し、周辺基地局のうちマルチキャストＩＰアドレスが自局と異なる周辺基地局を検出し、検出された周辺基地局のトラヒック情報と通知元基地局のトラヒック情報とを比較し、自局のトラヒックが何れの周辺基地局のトラヒックよりも大きい場合、自局を変更基地局として選択し、
前記変更要請ステップにて、各基地局は、
当該周辺基地局のうち最小のトラヒックを持つ周辺基地局のマルチキャストＩＰアドレスを、自局の新たなマルチキャストＩＰアドレスとして変更し、移動管理サーバ及び経路選択装置に変更後のマルチキャストＩＰアドレスを通知し、
移動管理サーバは、前記通知を受けた場合、該変更基地局あてのマルチキャストＩＰアドレスを、通知されたマルチキャストＩＰアドレスに変更し、
経路選択装置は、前記通知を受けた場合、通知されたマルチキャストＩＰアドレスに基づいて、該変更基地局への経路情報を変更する、
ことを特徴とする請求項７記載の位置登録エリア設定方法。
【請求項９】
複数の基地局と、複数の移動局と、インターネットプロトコル網に接続され各基地局が接続された経路選択装置と、前記インターネットプロトコル網に接続され前記移動局の移動管理を行う移動管理サーバとを含んで構成された移動通信システムにおける基地局であって、
当該移動通信システムは、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成されており、
自局の位置情報及び自局の周辺に位置する周辺基地局の位置情報に基づいて、自局に関する隣接基地局を認識する隣接基地局認識手段と、
隣接基地局のマルチキャストＩＰアドレス情報を収集するアドレス情報収集手段と、
隣接基地局のマルチキャストＩＰアドレスを自局のマルチキャストＩＰアドレスとして設定するアドレス設定手段と、
移動管理サーバに、前記設定に応じた自局の位置登録エリアの変更を要請する変更要請手段と、
を備えたことを特徴とする基地局。
【請求項１０】
前記隣接基地局認識手段は、
当該新設基地局の位置情報を測定するとともに前記周辺基地局から無線又は有線にて当該周辺基地局の位置情報を収集する位置情報収集手段と、
当該新設基地局の位置情報及び当該新設基地局の周辺に位置する周辺基地局の位置情報に基づいて当該新設基地局との距離が最短である周辺基地局を、当該新設基地局に関する隣接基地局として認識する認識手段と、
を含んで構成されたことを特徴とする請求項９記載の基地局。
【請求項１１】
複数の基地局と、複数の移動局と、インターネットプロトコル網に接続され各基地局が接続された経路選択装置と、前記インターネットプロトコル網に接続され前記移動局の移動管理を行う移動管理サーバとを含んで構成された移動通信システムにおける基地局であって、
当該移動通信システムは、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成されており、
自局配下の着信トラヒック又は通信トラヒックの両方又は一方を含むトラヒック情報を測定するトラヒック測定手段と、
所定の規則に基づいて、所属先の位置登録エリアを変更すべき変更基地局、及び変更先の位置登録エリアを選択する選択手段と、
変更先の位置登録エリアに応じて変更基地局のマルチキャストＩＰアドレス及び位置登録エリアを変更するよう移動管理サーバに要請する変更要請手段と、
を備えたことを特徴とする基地局。
【請求項１２】
前記選択手段は、
自局の周辺に位置する周辺基地局を認識し前記測定で得られたトラヒック情報を周辺基地局との間で相互に送受信する情報交換手段と、
周辺基地局のうちマルチキャストＩＰアドレスが自局と異なる周辺基地局を検出する周辺基地局検出手段と、
検出された周辺基地局のトラヒック情報と通知元基地局のトラヒック情報とを比較する比較手段と、
比較結果により、自局のトラヒックが何れの周辺基地局のトラヒックよりも大きい場合、自局を変更基地局として選択し、当該周辺基地局のうち最小のトラヒックを持つ周辺基地局のマルチキャストＩＰアドレスを、自局の新たなマルチキャストＩＰアドレスとして選択する選択制御手段と、
を含んで構成されたことを特徴とする請求項１１記載の基地局。
【請求項１３】
複数の基地局と、複数の移動局と、インターネットプロトコル網に接続され各基地局が接続された経路選択装置と、前記インターネットプロトコル網に接続され前記移動局の移動管理を行う移動管理サーバとを含んで構成された移動通信システムにおける移動管理サーバであって、
当該移動通信システムは、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成されており、
前記移動通信システムに新設された新設基地局から、当該新設基地局の位置情報を受信する位置情報受信手段と、
受信した新設基地局の位置情報及び位置登録エリアの管理情報に基づいて、当該新設基地局が所属すべき位置登録エリアを選択し、選択された位置登録エリア内の基地局が受信しているマルチキャストグループに新設基地局を登録する登録手段と、
を備えたことを特徴とする移動管理サーバ。
【請求項１４】
前記移動管理サーバは、基地局の位置情報、ＩＰアドレスにより規定される階層構造、及び各基地局が所属している位置登録エリアに対応したマルチキャストＩＰアドレスを管理しており、
前記登録手段は、
新設基地局の周辺に位置する周辺基地局を検出する周辺基地局検出手段と、
当該周辺基地局のうち新設基地局から最短距離に位置する基地局を隣接基地局として認識する隣接基地局認識手段と、
当該隣接基地局と同一のマルチキャストＩＰアドレスを、該新設基地局が所属すべき位置登録エリアに対応したマルチキャストＩＰアドレスとして登録するアドレス登録手段と、
を含んで構成されたことを特徴とする請求項１３記載の移動管理サーバ。
【請求項１５】
複数の基地局と、複数の移動局と、インターネットプロトコル網に接続され各基地局が接続された経路選択装置と、前記インターネットプロトコル網に接続され前記移動局の移動管理を行う移動管理サーバとを含んで構成された移動通信システムにおける移動管理サーバであって、
当該移動通信システムは、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成されており、
複数の基地局の各々の配下の着信トラヒック又は通信トラヒックの両方又は一方を含むトラヒック情報を各基地局から受信するトラヒック受信手段と、
所定の規則に基づいて、所属先の位置登録エリアを変更すべき変更基地局、及び変更先の位置登録エリアを選択する選択手段と、
変更先の位置登録エリアに応じた変更基地局のマルチキャストＩＰアドレス及び位置登録エリアの変更を実行する変更手段と、
を備えたことを特徴とする移動管理サーバ。
【請求項１６】
前記選択手段は、
トラヒック情報を通知した通知元基地局の間で当該トラヒックを比較することでトラヒックが多い基地局群を検出する基地局群検出手段と、
当該基地局群の各基地局の位置情報に基づいて位置登録エリアの境界に近い基地局を変更基地局として選択する基地局選択手段とを含んで構成され、
前記変更手段は、当該周辺基地局のうち最小のトラヒックを持つ周辺基地局のマルチキャストＩＰアドレスを、変更基地局の新たなマルチキャストＩＰアドレスとして割り当てる、
ことを特徴とする請求項１５記載の移動管理サーバ。
【発明の詳細な説明】
【０００１】
【発明の属する技術分野】
本発明は、ＩＰベースの移動通信システムにおける位置登録エリア設定方法（特に、新設、撤去及びサービスイン後の位置登録エリア設定方法）、基地局及び移動管理サーバに関する。
【０００２】
なお、本明細書において「着信トラヒック」とは、通信開始のための制御データのトラヒックを意味し、「通信トラヒック」とは、通信中の端末（移動局等）間におけるコンテンツデータ（いわゆる実データ）のトラヒックを意味する。
【０００３】
【従来の技術】
ある基地局に関する位置登録エリアを変更する技術として、位置情報管理サーバが、位置登録エリア管理テーブルにおいて該基地局の所属を変更元の位置登録エリアから変更先の位置登録エリアへ変更し、また、該基地局が、位置登録エリア識別子を変更先の位置登録エリアのエリア識別子に変更することが考えられる。この技術は従来のＩＰを実装していない移動通信システムについては有効である。
【０００４】
ところが、ＩＰベース移動通信システムに適用した場合、上記技術にはＩＰマルチキャストの概念が無いため、位置情報管理サーバが、位置登録エリア管理テーブルにおいて、基地局が所属する位置登録エリアのみ変更しても呼出パケットを転送することが出来ない。このため、上記の技術には未だ改善の余地がある。
【０００５】
また、ＩＰベースの移動通信システムではＩＰ  Ｐａｇｉｎｇ方法が用いられる。この場合、位置登録エリアとして、同一のマルチキャストＩＰアドレスを受信する基地局の集合を位置登録エリアと定義する。各基地局の上位の経路選択装置（以下、「ＲＴ」という）は、ＰＡ（ｐａｇｉｎｇ  ａｇｅｎｔ）から転送されてきたｐａｇｉｎｇ  ｎｏｔｉｆｉｃａｔｉｏｎｓの宛先マルチキャストＩＰアドレスに応じてＲＴ配下の基地局に対し、マルチキャストパケットを転送する（下記の非特許文献１参照）。
【０００６】
【非特許文献１】
Ｒ．Ｒａｍｊｅｅ，  Ｔ．Ｆ．Ｐｏｒｔａ，  Ｌ．Ｓａｌｇａｒｅｌｌｉ，  Ｓ．Ｔｈｕｅｌ  ａｎｄ  Ｋ．Ｖａｒａｄｈａｎ，  ”ＩＰ−Ｂａｓｅｄ  Ａｃｃｅｓｓ  Ｎｅｔｗｏｒｋ  Ｉｎｆｒａｓｔｒｕｃｔｕｒｅ  ｆｏｒ  Ｎｅｘｔ−Ｇｅｎｅｒａｔｉｏｎ  Ｗｉｒｅｌｅｓｓ  Ｄａｔａ  Ｎｅｔｗｏｒｋｓ”，  ＩＥＥＥ  Ｐｅｒｓｏｎａｌ  Ｃｏｍｍｕｎｉｃａｔｉｏｎｓ，  ｐｐ．３４−４１，Ａｕｇｕｓｔ，２０００．
【０００７】
【発明が解決しようとする課題】
しかしながら、上記のＩＰ  Ｐａｇｉｎｇ方法では、ネットワーク構築時に、位置登録エリアを形成する基地局群に対しマルチキャストＩＰアドレスを一旦割当ててしまうと、該位置登録エリアを形成する基地局への経路上のＲＴにおいて経路設定を行うため、一旦設定した位置登録エリアを動的に変更することが困難となる、という問題点があった。
【０００８】
本発明は、上記課題を解決するために成されたものであり、基地局群の位置関係やトラヒック等に応じて位置登録エリアの設定を柔軟且つ適正に行うことができる位置登録エリア設定方法、基地局及び移動管理サーバを提供することを目的とする。
【０００９】
【課題を解決するための手段】
上記目的を達成するために、本発明に係る位置登録エリア設定方法は、請求項１に記載したように、複数の基地局と、複数の移動局と、インターネットプロトコル網に接続され各基地局が接続された経路選択装置と、前記インターネットプロトコル網に接続され前記移動局の移動管理を行う移動管理サーバとを含んで構成され、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成された移動通信システムにおける位置登録エリア設定方法であって、前記移動通信システムに新設された新設基地局が、当該新設基地局の位置情報及び当該新設基地局の周辺に位置する周辺基地局の位置情報に基づいて、当該新設基地局に関する隣接基地局を認識する隣接基地局認識ステップと、新設基地局が、隣接基地局のマルチキャストＩＰアドレス情報を収集する情報収集ステップと、新設基地局が、隣接基地局のマルチキャストＩＰアドレスを自局のマルチキャストＩＰアドレスとして設定するアドレス設定ステップと、新設基地局が、移動管理サーバに、前記設定に応じた自局の位置登録エリアの変更を要請する変更要請ステップとを有することを特徴とする。
【００１０】
即ち、本発明が適用される移動通信システムは、複数の基地局と、複数の移動局と、インターネットプロトコル網に接続され各基地局が接続された経路選択装置と、インターネットプロトコル網に接続され前記移動局の移動管理を行う移動管理サーバとを含んで構成されたシステムであり、基地局の集合がマルチキャストグループを形成し、マルチキャストグループ内の基地局は同一のマルチキャストＩＰアドレスが付加されたマルチキャストパケットを受信することが可能で、マルチキャストパケットを受信可能な基地局の形成するセルの集合を位置登録エリアとし、移動局が通信を行っていないアイドル状態にある場合に、当該アイドル状態の移動局の在圏位置は移動管理サーバにより位置登録エリア単位で管理され、アイドル状態の移動局宛のパケットが移動管理サーバに到着した場合、当該移動管理サーバは宛先の移動局の在圏する位置登録エリアに対応するマルチキャストＩＰアドレスにて、当該位置登録エリア内の全基地局に上記移動局の呼出用パケットをマルチキャストで転送するよう構成されている。
【００１１】
このような移動通信システムに基地局が新設された場合、当該新設された新設基地局が、当該新設基地局の位置情報及び当該新設基地局の周辺に位置する周辺基地局の位置情報に基づいて、当該新設基地局に関する隣接基地局を認識し（隣接基地局認識ステップ）、隣接基地局のマルチキャストＩＰアドレス情報を収集する（情報収集ステップ）。そして、新設基地局が、収集で得られた隣接基地局のマルチキャストＩＰアドレスを自局のマルチキャストＩＰアドレスとして設定し（アドレス設定ステップ）、移動管理サーバに、当該設定に応じた自局の位置登録エリアの変更を要請する（変更要請ステップ）。このようにして、新設基地局は、新設時の位置登録エリアの再設定を自律的かつ適正に行うことができる。
【００１２】
より具体的には、請求項２に記載したように、隣接基地局認識ステップにて新設基地局は、当該新設基地局の位置情報を測定するとともに周辺基地局から無線又は有線にて当該周辺基地局の位置情報を収集し、当該新設基地局との距離が最短である周辺基地局を、当該新設基地局に関する隣接基地局として認識し、変更要請ステップにて新設基地局は、変更要請とともに、前記設定された自局のマルチキャストＩＰアドレスを、移動管理サーバ及び経路選択装置へ通知し、移動管理サーバは、通知された新設基地局のマルチキャストＩＰアドレスを当該新設基地局配下の移動局のマルチキャストＩＰアドレスとして登録し、経路選択装置は、通知された新設基地局のマルチキャストＩＰアドレスを当該新設基地局への経路情報として登録することが望ましい。このように新設基地局は、自局との距離が最短である周辺基地局を、当該新設基地局に関する隣接基地局として認識することで、比較的簡単な計算処理で隣接基地局を認識することができる。また、移動管理サーバが、通知された新設基地局のマルチキャストＩＰアドレスを当該新設基地局配下の移動局のマルチキャストＩＰアドレスとして登録し、経路選択装置が、通知された新設基地局のマルチキャストＩＰアドレスを当該新設基地局への経路情報として登録することで、基地局の新設に伴うマルチキャストＩＰアドレス及び経路情報の変更管理を適正に行うことができる。
【００１３】
本発明に係る位置登録エリア設定方法は、請求項３に記載したように、複数の基地局と、複数の移動局と、インターネットプロトコル網に接続され各基地局が接続された経路選択装置と、前記インターネットプロトコル網に接続され前記移動局の移動管理を行う移動管理サーバとを含んで構成され、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成された移動通信システムにおける位置登録エリア設定方法であって、移動管理サーバが、前記移動通信システムに新設された新設基地局から、当該新設基地局の位置情報を受信する位置情報受信ステップと、移動管理サーバが、受信した新設基地局の位置情報及び位置登録エリアの管理情報に基づいて、当該新設基地局が所属すべき位置登録エリアを選択し、選択された位置登録エリア内の基地局が形成しているマルチキャストグループに当該新設基地局を登録する登録ステップとを有することを特徴とする。
【００１４】
上記移動通信システムに基地局が新設された場合、移動管理サーバは、新設基地局から、当該新設基地局の位置情報を受信し（位置情報受信ステップ）、受信した新設基地局の位置情報及び位置登録エリアの管理情報に基づいて、当該新設基地局が所属すべき位置登録エリアを選択し、選択された位置登録エリア内の基地局が形成しているマルチキャストグループに当該新設基地局を登録する（登録ステップ）。このようにして、移動管理サーバは、基地局の新設時の位置登録エリアの再設定を適正に行うことができる。
【００１５】
なお、位置情報受信ステップで受信される新設基地局の位置情報としては、例えば、ＧＰＳによる測定で得られた新設基地局の地理的位置情報や、ＲＴ  Ｓｏｌｉｃｉｔａｔｉｏｎにより新設基地局が接続した経路選択装置（ＲＴ）の情報などを採用することができる。
【００１６】
より具体的には、請求項４に記載したように、移動管理サーバは、各基地局の位置情報、ＩＰアドレスにより規定される階層構造、及び各基地局が所属している位置登録エリアに対応したマルチキャストＩＰアドレスを管理しており、登録ステップにて、移動管理サーバは、新設基地局の周辺に位置する周辺基地局を検出し、当該周辺基地局のうち新設基地局から最短距離に位置する基地局を隣接基地局として認識し、当該隣接基地局と同一のマルチキャストＩＰアドレスを、当該新設基地局が所属すべき位置登録エリアに対応したマルチキャストＩＰアドレスとして登録し、さらに、登録したマルチキャストＩＰアドレスを、新設基地局及び当該新設基地局までの経路上に存在する経路選択装置に通知し、新設基地局は、移動管理サーバから通知されたマルチキャストＩＰアドレスを設定し、経路選択装置は、移動管理サーバから通知されたマルチキャストＩＰアドレスを当該新設基地局の経路情報に登録することが望ましい。このように移動管理サーバは、新設基地局との距離が最短である周辺基地局を、当該新設基地局に関する隣接基地局として認識することで、比較的簡単な計算処理で隣接基地局を認識することができる。また、新設基地局が、通知されたマルチキャストＩＰアドレスを設定し、経路選択装置が、通知されたマルチキャストＩＰアドレスを当該新設基地局の経路情報に登録することで、基地局の新設に伴うマルチキャストＩＰアドレス及び経路情報の変更管理を適正に行うことができる。
【００１７】
本発明に係る位置登録エリア設定方法は、請求項５に記載したように、複数の基地局と、複数の移動局と、インターネットプロトコル網に接続され各基地局が接続された経路選択装置と、前記インターネットプロトコル網に接続され前記移動局の移動管理を行う移動管理サーバとを含んで構成され、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成された移動通信システムにおける位置登録エリア設定方法であって、複数の基地局の各々が、各基地局配下の着信トラヒック又は通信トラヒックの両方又は一方を含むトラヒック情報を測定するトラヒック測定ステップと、複数の基地局からトラヒック情報を受信した移動管理サーバが、所定の規則に基づいて、所属先の位置登録エリアを変更すべき変更基地局、及び変更先の位置登録エリアを選択する選択ステップと、移動管理サーバが、変更先の位置登録エリアに応じた変更基地局のマルチキャストＩＰアドレス及び位置登録エリアの変更を行う変更ステップとを有することを特徴とする。
【００１８】
上記移動通信システムにおいて、複数の基地局の各々が、各基地局配下の着信トラヒック又は通信トラヒックの両方又は一方を含むトラヒック情報を測定する（トラヒック測定ステップ）。そして、複数の基地局からトラヒック情報を受信した移動管理サーバが、所定の規則に基づいて、所属先の位置登録エリアを変更すべき変更基地局、及び変更先の位置登録エリアを選択する（選択ステップ）。さらに、移動管理サーバが、変更先の位置登録エリアに応じた変更基地局のマルチキャストＩＰアドレス及び位置登録エリアの変更を行う（変更ステップ）。このようにして移動管理サーバは、トラヒック情報に基づいて、位置登録エリアの再設定を適正に行うことができる。
【００１９】
より具体的には、請求項６に記載したように、選択ステップにて移動管理サーバは、トラヒック情報を通知した通知元基地局の間で当該トラヒックを比較することでトラヒックが多い基地局群を検出し、当該基地局群の各基地局の位置情報に基づいて位置登録エリアの境界に近い基地局を変更基地局として選択し、変更ステップにて移動管理サーバは、当該周辺基地局のうち最小のトラヒックを持つ周辺基地局のマルチキャストＩＰアドレスを、変更基地局の新たなマルチキャストＩＰアドレスとして割り当て、当該変更基地局及び経路選択装置に変更後のマルチキャストＩＰアドレスを通知し、変更基地局は、上記通知を受けた場合、従前のマルチキャストＩＰアドレスを、通知されたマルチキャストＩＰアドレスに変更し、経路選択装置は、上記通知を受けた場合、通知された情報に基づいて変更基地局への経路情報を変更することが望ましい。
【００２０】
本発明に係る位置登録エリア設定方法は、請求項７に記載したように、複数の基地局と、複数の移動局と、インターネットプロトコル網に接続され各基地局が接続された経路選択装置と、前記インターネットプロトコル網に接続され前記移動局の移動管理を行う移動管理サーバとを含んで構成され、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成された移動通信システムにおける位置登録エリア設定方法であって、複数の基地局の各々が、各基地局配下の着信トラヒック又は通信トラヒックの両方又は一方を含むトラヒック情報を測定するトラヒック測定ステップと、複数の基地局が、所定の規則に基づいて、所属先の位置登録エリアを変更すべき変更基地局、及び変更先の位置登録エリアを選択する選択ステップと、複数の基地局が、変更先の位置登録エリアに応じた変更基地局のマルチキャストＩＰアドレス及び位置登録エリアの変更を移動管理サーバに要請する変更要請ステップとを有することを特徴とする。
【００２１】
上記移動通信システムにおいて、複数の基地局の各々が、各基地局配下の着信トラヒック又は通信トラヒックの両方又は一方を含むトラヒック情報を測定する（トラヒック測定ステップ）。そして、複数の基地局が、所定の規則に基づいて、所属先の位置登録エリアを変更すべき変更基地局、及び変更先の位置登録エリアを選択する（選択ステップ）。さらに、複数の基地局が、変更先の位置登録エリアに応じた変更基地局のマルチキャストＩＰアドレス及び位置登録エリアの変更を移動管理サーバに要請する（変更要請ステップ）。要請を受けた移動管理サーバは、変更先の位置登録エリアに応じて変更基地局のマルチキャストＩＰアドレス及び位置登録エリアを変更することとなる。このようにして、複数の基地局は、トラヒック情報に基づいて、位置登録エリアの再設定を適正に行うことができる。
【００２２】
また、請求項８に記載したように、選択ステップにて各基地局は、自局の周辺に位置する周辺基地局を認識し、測定で得られたトラヒック情報を周辺基地局との間で相互に送受信し、周辺基地局のうちマルチキャストＩＰアドレスが自局と異なる周辺基地局を検出し、検出された周辺基地局のトラヒック情報と通知元基地局のトラヒック情報とを比較し、自局のトラヒックが何れの周辺基地局のトラヒックよりも大きい場合、自局を変更基地局として選択し、変更要請ステップにて各基地局は、当該周辺基地局のうち最小のトラヒックを持つ周辺基地局のマルチキャストＩＰアドレスを、自局の新たなマルチキャストＩＰアドレスとして変更し、移動管理サーバ及び経路選択装置に変更後のマルチキャストＩＰアドレスを通知し、移動管理サーバは、上記通知を受けた場合、該変更基地局あてのマルチキャストＩＰアドレスを、通知されたマルチキャストＩＰアドレスに変更し、経路選択装置は、上記通知を受けた場合、通知されたマルチキャストＩＰアドレスに基づいて、該変更基地局への経路情報を変更することが望ましい。
【００２３】
上記の請求項６、８に記載の発明によれば、トラヒックが多い近隣の基地局から変更基地局が選択され、トラヒックが最小の周辺基地局のマルチキャストＩＰアドレスが変更基地局の新たなマルチキャストＩＰアドレスとして設定され、これに応じて該変更基地局への経路情報も変更されるため、トラヒックの変動によるマルチキャストＩＰアドレス及び経路情報の変更管理を適正に行うことができる。
【００２４】
ところで、本発明は、上記のような位置登録エリア設定方法に関する発明として捉えることができるほか、以下のような基地局に関する発明、移動管理サーバに関する発明として捉えることができる。
【００２５】
本発明に係る基地局は、請求項９に記載したように、複数の基地局と、複数の移動局と、インターネットプロトコル網に接続され各基地局が接続された経路選択装置と、前記インターネットプロトコル網に接続され前記移動局の移動管理を行う移動管理サーバとを含んで構成された移動通信システムにおける基地局であって、当該移動通信システムは、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成されており、自局の位置情報及び自局の周辺に位置する周辺基地局の位置情報に基づいて、自局に関する隣接基地局を認識する隣接基地局認識手段と、隣接基地局のマルチキャストＩＰアドレス情報を収集するアドレス情報収集手段と、隣接基地局のマルチキャストＩＰアドレスを自局のマルチキャストＩＰアドレスとして設定するアドレス設定手段と、移動管理サーバに、前記設定に応じた自局の位置登録エリアの変更を要請する変更要請手段とを備えたことを特徴とする。
【００２６】
このとき、隣接基地局認識手段は、請求項１０に記載したように、新設基地局の位置情報を測定するとともに前記周辺基地局から無線又は有線にて当該周辺基地局の位置情報を収集する位置情報収集手段と、当該新設基地局の位置情報及び当該新設基地局の周辺に位置する周辺基地局の位置情報に基づいて当該新設基地局との距離が最短である周辺基地局を、当該新設基地局に関する隣接基地局として認識する認識手段とを含んだ構成とすることが望ましい。
【００２７】
本発明に係る基地局は、請求項１１に記載したように、複数の基地局と、複数の移動局と、インターネットプロトコル網に接続され各基地局が接続された経路選択装置と、前記インターネットプロトコル網に接続され前記移動局の移動管理を行う移動管理サーバとを含んで構成された移動通信システムにおける基地局であって、当該移動通信システムは、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成されており、自局配下の着信トラヒック又は通信トラヒックの両方又は一方を含むトラヒック情報を測定するトラヒック測定手段と、所定の規則に基づいて、所属先の位置登録エリアを変更すべき変更基地局、及び変更先の位置登録エリアを選択する選択手段と、変更先の位置登録エリアに応じて変更基地局のマルチキャストＩＰアドレス及び位置登録エリアを変更するよう移動管理サーバに要請する変更要請手段とを備えたことを特徴とする。
【００２８】
このとき、選択手段は、請求項１２に記載したように、自局の周辺に位置する周辺基地局を認識し前記測定で得られたトラヒック情報を周辺基地局との間で相互に送受信する情報交換手段と、周辺基地局のうちマルチキャストＩＰアドレスが自局と異なる周辺基地局を検出する周辺基地局検出手段と、検出された周辺基地局のトラヒック情報と通知元基地局のトラヒック情報とを比較する比較手段と、比較結果により、自局のトラヒックが何れの周辺基地局のトラヒックよりも大きい場合、自局を変更基地局として選択し、当該周辺基地局のうち最小のトラヒックを持つ周辺基地局のマルチキャストＩＰアドレスを、自局の新たなマルチキャストＩＰアドレスとして選択する選択制御手段とを含んだ構成とすることが望ましい。
【００２９】
本発明に係る移動管理サーバは、請求項１３に記載したように、複数の基地局と、複数の移動局と、インターネットプロトコル網に接続され各基地局が接続された経路選択装置と、前記インターネットプロトコル網に接続され前記移動局の移動管理を行う移動管理サーバとを含んで構成された移動通信システムにおける移動管理サーバであって、当該移動通信システムは、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成されており、移動通信システムに新設された新設基地局から、当該新設基地局の位置情報を受信する位置情報受信手段と、受信した新設基地局の位置情報及び位置登録エリアの管理情報に基づいて、当該新設基地局が所属すべき位置登録エリアを選択し、選択された位置登録エリア内の基地局が受信しているマルチキャストグループに新設基地局を登録する登録手段とを備えたことを特徴とする。
【００３０】
なお、位置情報受信手段により受信される新設基地局の位置情報としては、例えば、ＧＰＳによる測定で得られた新設基地局の地理的位置情報や、ＲＴ  Ｓｏｌｉｃｉｔａｔｉｏｎにより新設基地局が接続した経路選択装置（ＲＴ）の情報などを採用することができる。
【００３１】
このとき、請求項１４に記載したように、移動管理サーバは、基地局の位置情報、ＩＰアドレスにより規定される階層構造、及び各基地局が所属している位置登録エリアに対応したマルチキャストＩＰアドレスを管理しており、登録手段は、新設基地局の周辺に位置する周辺基地局を検出する周辺基地局検出手段と、当該周辺基地局のうち新設基地局から最短距離に位置する基地局を隣接基地局として認識する隣接基地局認識手段と、当該隣接基地局と同一のマルチキャストＩＰアドレスを、該新設基地局が所属すべき位置登録エリアに対応したマルチキャストＩＰアドレスとして登録するアドレス登録手段とを含んだ構成とすることが望ましい。
【００３２】
本発明に係る移動管理サーバは、請求項１５に記載したように、複数の基地局と、複数の移動局と、インターネットプロトコル網に接続され各基地局が接続された経路選択装置と、前記インターネットプロトコル網に接続され前記移動局の移動管理を行う移動管理サーバとを含んで構成された移動通信システムにおける移動管理サーバであって、当該移動通信システムは、前記基地局の集合がマルチキャストグループを形成し、前記マルチキャストグループ内の基地局は同一のマルチキャストＩＰアドレスが付加されたマルチキャストパケットを受信することが可能で、前記マルチキャストパケットを受信可能な基地局の形成するセルの集合を位置登録エリアとし、前記移動局が通信を行っていないアイドル状態にある場合に、前記アイドル状態の移動局の在圏位置は前記移動管理サーバにより位置登録エリア単位で管理され、前記アイドル状態の移動局宛のパケットが前記移動管理サーバに到着した場合、当該移動管理サーバは宛先の移動局の在圏する位置登録エリアに対応するマルチキャストＩＰアドレスにて、当該位置登録エリア内の全基地局に前記移動局の呼出用パケットをマルチキャストで転送するよう構成されており、複数の基地局の各々の配下の着信トラヒック又は通信トラヒックの両方又は一方を含むトラヒック情報を各基地局から受信するトラヒック受信手段と、所定の規則に基づいて、所属先の位置登録エリアを変更すべき変更基地局、及び変更先の位置登録エリアを選択する選択手段と、変更先の位置登録エリアに応じた変更基地局のマルチキャストＩＰアドレス及び位置登録エリアの変更を実行する変更手段とを備えたことを特徴とする。
【００３３】
このとき、請求項１６に記載したように、選択手段は、トラヒック情報を通知した通知元基地局の間で当該トラヒックを比較することでトラヒックが多い基地局群を検出する基地局群検出手段と、当該基地局群の各基地局の位置情報に基づいて位置登録エリアの境界に近い基地局を変更基地局として選択する基地局選択手段とを含んで構成され、変更手段は、当該周辺基地局のうち最小のトラヒックを持つ周辺基地局のマルチキャストＩＰアドレスを、変更基地局の新たなマルチキャストＩＰアドレスとして割り当てる構成とすることが望ましい。
【００３４】
【発明の実施の形態】
以下、本発明に係る各種の実施形態について順に説明する。
【００３５】
［第１実施形態］
請求項１、２に記載の位置登録エリア設定方法及び請求項９、１０に記載の基地局に関する第１実施形態について説明する。
【００３６】
［移動通信システムの構成］
図１には、本実施形態の想定する移動通信システム１の構成を示す。同図に示すように移動通信システム１は、複数の基地局（Ｂａｓｅ  Ｓｔａｔｉｏｎ：以下「ＢＳ」という）１０〜１３と、複数の移動局（Ｍｏｂｉｌｅ  Ｈｏｓｔ：以下「ＭＨ」という）４０、４１と、ＩＰ網５０に接続され各基地局が接続された経路選択装置（ＲＴ）２０と、ＩＰ網５０に接続され移動局の移動管理を行う移動管理サーバ（ＨＡ）３０とを含んで構成されている。例えば、ＢＳ１０はＲＴ２０に接続されＭＨ４０との間で無線リンクを介して無線通信を行い、ＲＴ２０はＢＳ１０〜１２を集約する。
【００３７】
この移動通信システム１では、基地局の集合がマルチキャストグループを形成し、マルチキャストグループ内の基地局は同一のマルチキャストＩＰアドレスが付加されたマルチキャストパケットを受信することが可能で、マルチキャストパケットを受信可能な基地局の形成するセルの集合を位置登録エリアとする。また、移動局が通信を行っていないアイドル状態にある場合に、アイドル状態の移動局の在圏位置はＨＡ３０により位置登録エリア単位で管理され、アイドル状態の移動局宛のパケットがＨＡ３０に到着した場合、ＨＡ３０は宛先の移動局の在圏する位置登録エリアに対応するマルチキャストＩＰアドレスにて、当該位置登録エリア内の全基地局に上記移動局の呼出用パケットをマルチキャストで転送する。
【００３８】
図２２には、本実施形態におけるＢＳ１０の構成を示す。同図に示すようにＢＳ１０は、自局の位置情報及び自局の周辺に位置する周辺ＢＳの位置情報に基づいて、自局に関する隣接ＢＳを認識する隣接基地局認識手段１０１と、隣接ＢＳのマルチキャストＩＰアドレス情報を収集するアドレス情報収集手段１０２と、隣接ＢＳのマルチキャストＩＰアドレスを自局のマルチキャストＩＰアドレスとして設定するアドレス設定手段１０３と、ＨＡに、前記設定に応じた自局の位置登録エリアの変更を要請する変更要請手段１０４とを備えており、特に上記の隣接基地局認識手段１０１は、当該新設ＢＳの位置情報を測定するとともに前記周辺ＢＳから無線又は有線にて当該周辺ＢＳの位置情報を収集する位置情報収集手段１０１Ａと、当該新設ＢＳの位置情報及び当該新設ＢＳの周辺に位置する周辺ＢＳの位置情報に基づいて当該新設ＢＳとの距離が最短である周辺ＢＳを、当該新設ＢＳに関する隣接ＢＳとして認識する認識手段１０１Ｂとを含んで構成されている。
【００３９】
［第１実施形態の動作］
以下、第１実施形態における動作を説明する。
【００４０】
［ＢＳを新設する場合の一連の動作］
まず、図２に基づき、ＢＳを新設する場合の一連の動作を説明する。
【００４１】
新設ＢＳ１０は、Ｇｌｏｂａｌ  Ｐｏｓｉｔｉｏｎｉｎｇ  Ｓｙｓｔｅｍ（ＧＰＳ）により自局の絶対的位置情報を認識し（Ｓ０１）、自局が接続したＲＴ２０に接続されている同一サブネット内のＢＳ１１、１２に対し位置情報通知要請パケットを送信する（Ｓ０２）。当該パケットを受信したＢＳ１１、１２は、送信元のＢＳ１０に対し応答パケットを返信する（Ｓ０３）。
【００４２】
応答パケットを受信したＢＳ１０は、自局の位置と応答パケットに含まれた位置とを比較することで、自局から最も近くに位置し、かつ自局と同じサブネットアドレスを有するＢＳを自局の隣接ＢＳとして認識する（Ｓ０４）。ここで、当該認識結果から該ＢＳ１０の隣接ＢＳがＢＳ１２であるとすると、ＢＳ１０は、隣接ＢＳ１２に対し、該ＢＳ１２が受信しているマルチキャストＩＰアドレスの情報を要請する（Ｓ０５）。当該情報要請を受けたＢＳ１２は、自局が持つマルチキャストＩＰアドレス管理テーブルをＢＳ１０に対し転送する（Ｓ０６）。
【００４３】
マルチキャストＩＰアドレス管理テーブルを受信したＢＳ１０は、当該受信したマルチキャストＩＰアドレス管理テーブルに基づいて、自局のマルチキャストＩＰアドレス管理テーブルを作成する（Ｓ０７）。更に、このようにして自局が受信すべきマルチキャストＩＰアドレスを認識したＢＳ１０は、ＭＨの位置管理を行うＨＡ３０に対し、当該認識したマルチキャストＩＰアドレスを持つマルチキャストグループに自局を追加するよう要請を行う（Ｓ０８）。当該追加要請を受信したＨＡ３０は、当該マルチキャストグループに該ＢＳ１０のＩＰアドレスを追加し（Ｓ０９）、該追加完了後、該ＢＳ１０に対し、追加完了したことを通知する（Ｓ１０）。通知を受けたＢＳ１０は、自局の上位に接続されているＲＴ２０に対し経路情報の更新を要請する（Ｓ１１）。要請を受けたＲＴ２０は、経路情報を更新した後、該ＢＳ１０に対し経路情報の更新済みであることを通知する（Ｓ１２）。
【００４４】
［ＢＳを撤去する場合の一連の動作］
次に、図３に基づき、ＢＳを撤去する場合の一連の動作を説明する。
【００４５】
撤去予定のＢＳ１０は、ＨＡ３０に対し、該ＢＳ１０が撤去される旨を通知し該マルチキャストグループから該ＢＳ１０のＩＰアドレスを削除するよう要請する（Ｓ２１）。要請を受けたＨＡ３０は、該マルチキャストグループから該ＢＳ１０のＩＰアドレスを削除する（Ｓ２２）。作業完了後、ＨＡ３０は、ＢＳ１０に対し削除完了通知を送信する（Ｓ２３）。当該削除完了通知を受信したＢＳ１０は、当該ＢＳ１０が接続しているＲＴ２０に対し、該ＢＳ１０への経路情報を削除するよう要請する（Ｓ２４）。当該要請を受けたＲＴ２０は、該ＢＳ１０への経路情報を削除する（Ｓ２５）。削除完了後、ＲＴ２０は、ＢＳ１０に対し削除完了通知を送信する（Ｓ２６）。ＢＳ１０は、削除完了通知を受信した後、該ＢＳ１０を撤去する（Ｓ２７）。
【００４６】
［ＢＳの動作フロー］
以下、本実施形態におけるＢＳ１０、ＲＴ２０、ＨＡ３０のそれぞれの動作フローを順に説明する。まず、図４、図５に基づきＢＳ１０の動作フローを説明する。
【００４７】
最初に、ＢＳ１０は自局が新設ＢＳであるかどうかを判断する（Ｂ０１）。ＢＳ１０が新設ＢＳであれば、該ＢＳ１０は、ＧＰＳにより自ＢＳの地理的な位置を認識し（Ｂ０２）、位置情報の通知要請パケットを他のＢＳに送信する（Ｂ０３）。そして、当該パケットに対する応答があるかどうかを確認し（Ｂ０４）、応答があった場合には、当該応答パケット内の他のＢＳの位置情報を取り出し、応答した他のＢＳ各々について自ＢＳ１０と他のＢＳとの距離を計算する（Ｂ０５）。そして、計算で得られた距離より、自局から最も近くに位置するＢＳを隣接ＢＳとして認識する（Ｂ０６）。
【００４８】
ＢＳ１０は、自局の隣接ＢＳに対し、隣接ＢＳが持つマルチキャストＩＰアドレス管理テーブルのコピーを要請し（Ｂ０７）、当該要請後、隣接ＢＳから応答があるかどうかを確認する（Ｂ０８）。応答があった場合には、応答パケット内のマルチキャストＩＰアドレス管理テーブルのコピーを基にマルチキャスト管理テーブルを作成するとともに、自局が受信すべきマルチキャストＩＰアドレスを認識し、当該認識したマルチキャストＩＰアドレスから所属すべきマルチキャストグループを認識する（Ｂ０９）。そして、ＨＡ３０に対し、該マルチキャストグループに参加することを表明する旨を通知する（Ｂ１０）。ＨＡ３０に対する通知後、ＨＡ３０から応答があるかどうかを確認する（Ｂ１１）。応答があった場合には、ＨＡ３０における設定が完了したので、続いて経路上のＲＴ２０の経路情報を設定するために、ＲＴ２０に対し経路情報の更新を要請する（Ｂ１２）。
【００４９】
一方、ＢＳ１０が新設ＢＳでない場合には、撤去予定のＢＳであるかどうかを確認する（Ｂ１３）。その結果、撤去予定のＢＳである場合には、ＨＡ３０に対し、今まで参加していたマルチキャストグループからの脱退を表明する旨を通知する（Ｂ１４）。そして、マルチキャストグループからの脱退表明（即ち、削除要請）をしたＢＳ１０は、ＨＡ３０からの応答があるかどうかを確認する（Ｂ１５）。その結果、応答があった場合にはＨＡ３０での削除手続きが完了したので、続けて、経路上のＲＴ２０から該撤去予定のＢＳ１０の経路情報を削除するようＲＴ２０に要請する（Ｂ１６）。
【００５０】
［ＲＴの動作フロー］
次に、図６に基づきＲＴ２０の動作フローを説明する。
【００５１】
最初に、ＲＴ２０はＢＳ１０から撤去予定（即ち、経路情報の削除要請）を受けたかどうかを判断する（Ｒ０１）。判断した結果、該ＢＳ１０から経路情報の削除要請を受信した場合、該ＲＴ２０が持つ経路情報管理テーブルから該ＢＳ１０の経路情報を削除し（Ｒ０２）、自局が持つ経路情報管理テーブルから、該ＢＳ１０への経路情報の削除が完了した旨の経路情報削除完了通知を該ＢＳ１０に送信する（Ｒ０３）。
【００５２】
一方、該ＢＳ１０からの通知が撤去予定でない場合には、新設通知（即ち、経路情報の更新要請）であるかどうかを判断する（Ｒ０４）。判断した結果、該ＢＳから経路情報の更新要請を受信した場合に、ＲＴ２０は、該ＲＴ２０が持つ経路情報管理テーブルに、該ＢＳ１０への経路情報を追加する（Ｒ０５）。更に、経路情報管理テーブルに該ＢＳ１０への経路情報の追加が完了した旨の経路情報更新完了通知を該ＢＳ１０に送信する（Ｒ０６）。
【００５３】
［ＨＡの動作フロー］
次に、図７に基づきＨＡ３０の動作フローを説明する。
【００５４】
最初に、ＨＡ３０は、新設ＢＳ１０から、該ＢＳ１０が所属すべきマルチキャストグループへの参加表明通知があるかどうかを判断する（Ｈ０１）。通知があった場合には、通知されたマルチキャストグループに該ＢＳを登録することで、マルチキャストグループ管理テーブルを更新する（Ｈ０２）。そして、登録完了後、該ＢＳ１０に対し、登録が完了した旨のマルチキャストグループ登録完了通知を送信する（Ｈ０３）。
【００５５】
一方、Ｈ０１にて判断した結果、ＢＳ１０からの通知がマルチキャストグループヘの参加表明でない場合には、該通知がマルチキャストグループからの脱退表明であるかどうかを判断する（Ｈ０４）。判断した結果、該通知がマルチキャストグループからの脱退表明である場合には、該ＢＳ１０が登録しているマルチキャストグループから該ＢＳを削除することで、マルチキャストグループ管理テーブルを更新する（Ｈ０５）。そして、削除完了後、該ＢＳ１０に対し、マルチキャストグループ削除完了通知を送信する（Ｈ０６）。
【００５６】
以上の第１実施形態によれば、新設ＢＳは、自局との距離が最短である周辺ＢＳを、隣接ＢＳとして認識することで、比較的簡単な計算処理で隣接ＢＳを認識することができる。また、ＨＡが、通知された新設ＢＳのマルチキャストＩＰアドレスを当該新設ＢＳ配下のＭＨのマルチキャストＩＰアドレスとして登録し、ＲＴが、通知された新設ＢＳのマルチキャストＩＰアドレスを当該新設ＢＳへの経路情報として登録することで、ＢＳの新設に伴うマルチキャストＩＰアドレス及び経路情報の変更管理を適正に行うことができる。このようにして、新設ＢＳは、新設時の位置登録エリアの再設定を自律的かつ適正に行うことができる。
【００５７】
［第２実施形態］
請求項３、４に記載の位置登録エリア設定方法及び請求項１３、１４に記載の移動管理サーバに関する第２実施形態について説明する。なお、本実施形態の移動通信システムの構成は図１の第１実施形態での構成と同様であるので、説明を省略する。
【００５８】
図２３には、本実施形態におけるＨＡ３０の構成を示す。同図に示すようにＨＡ３０は、移動通信システム１に新設された新設ＢＳ１０から、当該新設ＢＳ１０の位置情報を受信する位置情報受信手段３０１と、受信した新設ＢＳ１０の位置情報及び位置登録エリアの管理情報に基づいて、当該新設ＢＳ１０が所属すべき位置登録エリアを選択し、選択された位置登録エリア内の他のＢＳが受信しているマルチキャストグループに新設ＢＳ１０を登録する登録手段３０２とを備えており、特に上記の登録手段３０２は、新設ＢＳ１０の周辺に位置する周辺ＢＳを検出する周辺基地局検出手段３０２Ａと、当該周辺ＢＳのうち新設ＢＳ１０から最短距離に位置するＢＳを隣接ＢＳとして認識する隣接基地局認識手段３０２Ｂと、当該隣接ＢＳと同一のマルチキャストＩＰアドレスを、該新設ＢＳ１０が所属すべき位置登録エリアに対応したマルチキャストＩＰアドレスとして登録するアドレス登録手段３０２Ｃとを含んで構成されている。
【００５９】
［第２実施形態の動作］
以下、第２実施形態における動作を説明する。
【００６０】
［ＢＳを新設する場合の一連の動作］
まず、図８に基づき、ＢＳを新設する場合の一連の動作を説明する。
【００６１】
新設ＢＳ１０は、自局の位置情報（ここでは、例えば、ＧＰＳによる測定で得られた自局の地理的位置情報や、ＲＴ  Ｓｏｌｉｃｉｔａｔｉｏｎにより接続したＲＴ２０の情報など）を認識し（Ｓ３１）、当該認識した位置情報をＨＡ３０に送信する（Ｓ３２）。当該位置情報の通知を受けたＨＡ３０は、該ＢＳ１０の位置情報に基づいて該ＢＳ１０が所属すべき位置登録エリアを選択するとともに、当該位置登録エリア内の他のＢＳが受信しているマルチキャストグループに該ＢＳ１０を新規登録する（Ｓ３３）。そして、ＨＡ３０は、該ＢＳ１０に対し、当該選択された位置登録エリアとＢＳ１０が受信すべきマルチキャストＩＰアドレスとを通知する（Ｓ３４）。
【００６２】
上記通知を受けたＢＳ１０は、通知されたマルチキャストＩＰアドレスに基づきマルチキャストＩＰアドレス管理テーブルを作成し（Ｓ３５）、テーブル作成後、ＨＡ３０に対し、マルチキャストＩＰアドレス管理テーブルの作成が完了したことを通知する（Ｓ３６）。この完了通知を受信したＨＡ３０は、該ＢＳ１０の経路上のＲＴ２０に対し、該ＢＳ１０への経路情報を更新（ここでは新規登録）するよう要請する（Ｓ３７）。
【００６３】
経路情報の更新要請を受信したＲＴ２０は経路情報の更新を行い（Ｓ３８）、経路情報の更新完了後に、当該ＲＴ２０はＨＡ３０に対し、経路情報の更新完了通知を送信する（Ｓ３９）。この経路情報の更新完了通知を受信したＨＡ３０は該ＢＳ１０に対し、全ての設定が完了したことを通知する（Ｓ４０）。
【００６４】
［ＢＳが撤去される場合の一連の動作］
次に、図９に基づき、ＢＳが撤去される場合の一連の動作を説明する。
【００６５】
撤去予定のＢＳ１０は、ＨＡ３０に対し、自局が撤去予定であることを通知する（Ｓ４１）。該ＢＳ１０から撤去予定の通知を受けたＨＡ３０は、該ＢＳ１０が登録していたマルチキャストグループから該ＢＳ１０のＩＰアドレスを削除し（Ｓ４２）、マルチキャストグループからの削除完了後に、該ＢＳ１０への経路上の各ＲＴ２０に対し、該ＢＳ１０への経路情報を削除するよう削除要請をする（Ｓ４３）。
【００６６】
ＨＡ３０から経路情報の削除要請を受けたＲＴ２０は、該ＢＳ１０への経路情報を削除し（Ｓ４４）、削除完了後に、ＨＡ３０に対し経路情報の削除完了通知を送信する（Ｓ４５）。そして、各ＲＴ２０から経路情報の削除完了通知を受信したＨＡ３０は、該ＢＳ１０に対し、削除設定が完了したことを通知する（Ｓ４６）。この削除設定の完了通知を受信したＢＳ１０は、自局の撤去作業を行う（Ｓ４７）。
【００６７】
［ＢＳの動作フロー］
以下、本実施形態におけるＢＳ１０、ＲＴ２０、ＨＡ３０のそれぞれの動作フローを順に説明する。まず、図１０に基づきＢＳ１０の動作フローを説明する。
【００６８】
最初に、ＢＳ１０は、自局が新設ＢＳであるかどうかを判断する（Ｂ３１）。判断結果から該ＢＳ１０が新設ＢＳである場合には、自局の位置情報（例えば、ＧＰＳによる測定で得られた自局の絶対的な位置情報、又は、ＲＴ  Ｓｏｌｉｃｉｔａｔｉｏｎパケットを送信することで自局が接続したＲＴの情報など）を認識する（Ｂ３２）。そして、当該認識した位置情報をＨＡ３０に対し送信し（Ｂ３３）、位置情報の通知後は、ＨＡ３０から応答があるかどうかを確認する（Ｂ３４）。応答があった場合には、ＨＡ３０から通知されるマルチキャストＩＰアドレスに基づいて、該ＢＳ１０が受信すべきマルチキャストＩＰアドレス管理テーブルを作成する（Ｂ３５）。そして、マルチキャストＩＰアドレス管理テーブルの作成後、ＢＳ１０は、ＨＡ３０に対し、マルチキャストＩＰアドレス管理テーブルの作成が完了した旨のマルチキャストＩＰアドレス管理テーブル作成完了通知を送信し（Ｂ３６）、通知後、ＨＡ３０から応答があるかどうかを確認する（Ｂ３７）。そして、応答があった場合には、全ての設定が完了したため、サービスを開始する（Ｂ３８）。
【００６９】
［ＲＴの動作フロー］
次に、図１１に基づきＲＴ２０の動作フローを説明する。
【００７０】
最初に、ＲＴ２０は、ＨＡ３０から、撤去予定のＢＳ１０による経路情報の削除要請を受けたかどうかを判断する（Ｒ３１）。判断の結果、ＨＡ３０から経路情報の削除要請を受けた場合、ＲＴ２０が持つ経路情報管理テーブルから該ＢＳ１０の経路情報を削除し（Ｒ３２）、経路情報管理テーブルから該ＢＳ１０への経路情報を削除した旨の経路情報削除完了通知をＨＡ３０に対し送信する（Ｒ３３）。
【００７１】
一方、ＨＡ３０からの要請が経路情報の削除要請でない場合には、新設ＢＳ１０への経路情報の更新要請を受けたかどうかを判断する（Ｒ３４）。判断の結果、ＨＡ３０から経路情報の更新要請を受けた場合、ＲＴ２０は該ＢＳ１０への経路情報を経路情報管理テーブルに追加し（Ｒ３５）、経路情報管理テーブルに該ＢＳ１０への経路情報を追加した旨の経路情報更新完了通知をＨＡ３０に対し通知する（Ｒ３６）。
【００７２】
［ＨＡの動作フロー］
次に、図１２に基づきＨＡ３０の動作フローを説明する。
【００７３】
最初に、ＨＡ３０は、新設ＢＳ１０から該ＢＳ１０の位置情報通知があるかどうかを判断する（Ｈ３１）。判断の結果、ＢＳ１０から位置情報を通知された場合、ＨＡ３０は、通知された位置情報に基づいて、該ＢＳ１０が所属すべき位置登録エリアを選択する（Ｈ３２）。また、当該選択した位置登録エリア内の他のＢＳが受信しているマルチキャストＩＰアドレスを認識し、該マルチキャストＩＰアドレスを持つマルチキャストグループに新設ＢＳ１０を登録する（Ｈ３３）。更に、当該選択した位置登録エリア及びマルチキャストＩＰアドレスを該ＢＳ１０に通知し（Ｈ３４）、当該通知後、ＢＳ１０から応答があるかどうかを確認する（Ｈ３５）。応答があった場合には、ＨＡ３０は、該ＢＳ１０への経路設定を行うため、経路上のＲＴ２０に対し、経路情報の更新要請を送信する（Ｈ３６）。この更新要請の送信後、各ＲＴ２０から応答があるかどうかを確認する（Ｈ３７）。更新要請をした全てのＲＴ２０から応答があった場合には、該ＢＳ１０に対し、設定が完了したことを通知する（Ｈ３８）。
【００７４】
一方、該ＢＳ１０からの通知が位置情報通知でない場合は、当該通知が撤去予定通知であるかどうかを判断する（Ｈ３９）。当該通知が撤去予定通知の場合は、該ＢＳ１０が参加していたマルチキャストグループから該ＢＳ１０を削除し（Ｈ４０）、当該削除後、該ＢＳ１０への経路上の各ＲＴ２０に対し、該ＢＳ１０への経路情報の削除要請を送信する（Ｈ４１）。当該削除要請の送信後、ＲＴ２０から応答があるかどうかを判断し（Ｈ４２）、削除要請を行った全てのＲＴ２０から応答があった場合、該ＢＳ１０に対し、削除設定が完了した旨の削除設定完了通知を送信する（Ｈ４３）。
【００７５】
以上の第２実施形態によれば、ＨＡは、新設ＢＳとの距離が最短である周辺ＢＳを、当該新設ＢＳに関する隣接ＢＳとして認識することで、比較的簡単な計算処理で隣接ＢＳを認識することができる。また、新設ＢＳが、通知されたマルチキャストＩＰアドレスを設定し、ＲＴが、通知されたマルチキャストＩＰアドレスを当該新設ＢＳの経路情報に登録することで、ＢＳの新設に伴うマルチキャストＩＰアドレス及び経路情報の変更管理を適正に行うことができる。このようにして、ＨＡは、新設時の位置登録エリアの再設定を適正に行うことができる。
【００７６】
［第３実施形態］
請求項５、６に記載の位置登録エリア設定方法及び請求項１５、１６に記載の移動管理サーバに関する第３実施形態について説明する。なお、本実施形態の移動通信システムの構成は図１の第１実施形態での構成と同様であるので、説明を省略する。
【００７７】
図２４には、本実施形態におけるＨＡ３０の構成を示す。同図に示すようにＨＡ３０は、複数のＢＳの各々の配下の着信トラヒック又は通信トラヒックの両方又は一方を含むトラヒック情報を各ＢＳから受信するトラヒック受信手段３０３と、所定の規則に基づいて、所属先の位置登録エリアを変更すべき変更ＢＳ、及び変更先の位置登録エリアを選択する選択手段３０４と、変更先の位置登録エリアに応じた変更ＢＳのマルチキャストＩＰアドレス及び位置登録エリアの変更を実行する変更手段３０５とを備えており、特に上記の選択手段３０４は、トラヒック情報を通知した通知元基地局の間で当該トラヒックを比較することでトラヒックが多い基地局群を検出する基地局群検出手段３０４Ａと、当該基地局群の各基地局の位置情報に基づいて位置登録エリアの境界に近い基地局を変更基地局として選択する基地局選択手段３０４Ｂとを含んで構成され、上記の変更手段３０５は、当該周辺ＢＳのうち最小のトラヒックを持つ周辺ＢＳのマルチキャストＩＰアドレスを、変更ＢＳの新たなマルチキャストＩＰアドレスとして割り当てるよう構成されている。
【００７８】
［第３実施形態の動作］
以下、第３実施形態における動作を説明する。
【００７９】
［位置登録エリアの再設定に関する一連の動作］
まず、図１４に基づき、位置登録エリアの再設定に関する一連の動作を説明する。
【００８０】
各ＢＳ１０、１１、１２は、自局配下のセル内での着信トラヒック及び通信トラヒックのどちらか一方又は両方を、断続的又は連続的に測定し（Ｓ５１）、当該測定で得たトラヒックデータをＨＡ３０に通知する（Ｓ５２）。トラヒックデータの通知を受けたＨＡ３０は、各ＢＳのＧＰＳにより得られた地理的位置情報から位置登録エリアの境界に近いという第１条件と、トラヒックが多いという第２条件の２つの条件を満たすＢＳを、総合的な判断により変更ＢＳとして選択するとともに、当該選択した変更ＢＳに隣接している位置登録エリア内のＢＳが受信しているマルチキャストＩＰアドレスを認識し、前記選択したＢＳを該マルチキャストグループに登録する（Ｓ５３）。ここでは、トラヒック状況及びＢＳの絶対的な位置から、位置登録エリアの変更ＢＳとしてＢＳ１０が選択されたとすると、該ＢＳ１０に対し、位置登録エリアの変更と変更先位置登録エリアで該ＢＳ１０が受信すべきマルチキャストＩＰアドレスグループを通知する（Ｓ５４）。
【００８１】
当該通知を受けたＢＳ１０は、これまで保持していたマルチキャストＩＰアドレス管理テーブルを破棄し、通知されたマルチキャストＩＰアドレスをもとに新規にマルチキャストＩＰアドレス管理テーブルを作成する（Ｓ５５）。当該作成が終了したＢＳ１０は、ＨＡ３０に対し、マルチキャストＩＰアドレス管理テーブルの作成完了通知を送信する（Ｓ５６）。
【００８２】
当該作成完了通知を受信したＨＡ３０は、該ＢＳ１０が接続しているＲＴ２０に対し、経路情報の更新要請を行う（Ｓ５７）。当該更新要請を受けたＲＴ２０は、該ＢＳ１０への経路情報の更新を行う（Ｓ５８）。ＲＴ２０は、当該経路情報の更新が終了すると、ＨＡ３０に対し、経路情報の更新完了通知を送信する（Ｓ５９）。当該更新完了通知を受信したＨＡ３０は、該ＢＳ１０に対し、位置登録エリアの設定完了通知を送信する（Ｓ６０）。
【００８３】
［ＢＳの動作フロー］
以下、本実施形態におけるＢＳ１０、ＲＴ２０、ＨＡ３０のそれぞれの動作フローを順に説明する。まず、図１５に基づきＢＳ１０の動作フローを説明する。
【００８４】
最初に、ＢＳ１０は、自局が形成するセル内での着信トラヒック及び通信トラヒックのどちらか一方又は両方を、連続的に又は断続的に測定する（Ｂ５１）。当該測定した着信トラヒック及び通信トラヒックのどちらか一方又は両方のトラヒックデータをＨＡ３０に周期的に、連続的に、又は、任意の契機で通知し（Ｂ５２）、当該トラヒックデータ通知後、ＨＡ３０からの応答があるかどうかを判断する（Ｂ５３）。
【００８５】
応答があった場合には、ＨＡ３０から通知されるマルチキャストＩＰアドレスに基づいて、該ＢＳ１０が受信すべきマルチキャストＩＰアドレス管理テーブルを作成する（Ｂ５４）。当該作成完了後に、ＢＳ１０はＨＡ３０に対し、マルチキャストＩＰアドレス管理テーブルの作成が完了した旨のマルチキャストＩＰアドレス管理テーブル作成完了通知を送信し（Ｂ５５）、当該通知後、ＨＡ３０から応答があるかどうかを確認する（Ｂ５６）。そして、応答があった場合には、全ての設定が完了したため、サービスを開始する（Ｂ５７）。
【００８６】
［ＲＴの動作フロー］
次に、図１６に基づきＲＴ２０の動作フローを説明する。
【００８７】
最初に、ＲＴ２０は、位置登録エリアを変更する予定のＢＳ１０への経路情報更新要請を受けたかどうかを判断する（Ｒ５１）。判断した結果、ＨＡ３０から経路情報更新要請を受けた場合、ＲＴ２０は経路情報管理テーブルにおける該ＢＳ１０への経路情報を更新する（Ｒ５２）。更に、経路情報管理テーブルにおける該ＢＳ１０への経路情報の更新が完了した旨の経路情報の更新完了通知をＨＡ３０に対し通知する（Ｒ５３）。
【００８８】
［ＨＡの動作フロー］
次に、図１７に基づきＨＡ３０の動作フローを説明する。
【００８９】
最初に、ＨＡ３０は、ＢＳ１０、１１、１２の各々から着信トラヒック及び通信トラヒックの一方又は両方に関するトラヒックデータを通知されたかどうかを判断する（Ｈ５１）。各ＢＳからトラヒックデータを通知された場合、当該トラヒックデータから位置登録エリア内でトラヒックの多い順にＢＳをランク付けする（Ｈ５２）。一方で、各ＢＳの絶対的な位置情報から、当該位置登録エリアに隣接しているＢＳを抽出する（Ｈ５３）。そして、位置登録エリアの境界に近いという第１条件と、トラヒックが多いという第２条件の２つの条件を満たすＢＳを、総合的な判断により変更ＢＳとして選択する（Ｈ５４）。ここでは、変更ＢＳとしてＢＳ１０が選択されたとする。
【００９０】
そして、当該選択されたＢＳ１０が変更先の位置登録エリア内で受信すべきマルチキャストＩＰアドレスを認識し、該マルチキャストグループに該ＢＳ１０を登録し、該ＢＳ１０に対し該マルチキャストＩＰアドレスを通知する（Ｈ５５）。マルチキャストＩＰアドレス通知後は、ＢＳ１０から応答があるかどうかを判断する（Ｈ５６）。判断の結果、該ＢＳ１０から応答があった場合には、該ＢＳ１０が接続しているＲＴ２０に対し、経路情報の更新を要請する（Ｈ５７）。経路情報の更新要請後は、ＲＴ２０から応答があるかどうかを判断する（Ｈ５８）。ＲＴ２０から応答があった場合には、位置登録エリアの変更を行うＢＳ１０に対し、位置登録エリア変更の設定が完了した旨の位置登録エリア変更完了通知を送信する（Ｈ５９）。
【００９１】
以上の第３実施形態によれば、位置登録エリア境界付近のセルのＢＳのうち、トラヒックの多いＢＳが優先的に選択され、当該選択されたＢＳに隣接している位置登録エリア内のＢＳが受信しているマルチキャストＩＰアドレスが変更ＢＳの新たなマルチキャストＩＰアドレスとして設定される。そして、これに応じて該変更ＢＳへの経路情報も変更されるため、トラヒックの変動によるマルチキャストＩＰアドレス及び経路情報の変更管理を適正に行うことができる。このようにして、移動管理サーバは、トラヒック情報に基づいて、位置登録エリアの再設定を適正に行うことができる。
【００９２】
［第４実施形態］
請求項７、８に記載の位置登録エリア設定方法及び請求項１１、１２に記載の基地局に関する第４実施形態について説明する。なお、本実施形態の移動通信システムの構成は図１の第１実施形態での構成と同様であるので、説明を省略する。
【００９３】
図２５には、本実施形態におけるＢＳ１０の構成を示す。同図に示すようにＢＳ１０は、自局配下の着信トラヒック又は通信トラヒックの両方又は一方を含むトラヒック情報を測定するトラヒック測定手段１０５と、所定の規則に基づいて、所属先の位置登録エリアを変更すべき変更ＢＳ及び変更先の位置登録エリアを選択する選択手段１０６と、変更先の位置登録エリアに応じて変更ＢＳのマルチキャストＩＰアドレス及び位置登録エリアを変更するようＨＡ３０に要請する変更要請手段１０７とを備えており、特に、上記の選択手段１０６は、自局の周辺に位置する周辺ＢＳを認識しトラヒック測定手段１０５による測定で得られたトラヒック情報を周辺ＢＳとの間で相互に送受信する情報交換手段１０６Ａと、周辺ＢＳのうちマルチキャストＩＰアドレスが自局と異なる周辺ＢＳを検出する検出手段１０６Ｂと、検出された周辺ＢＳのトラヒック情報と通知元ＢＳのトラヒック情報とを比較する比較手段１０６Ｃと、比較結果により、自局のトラヒックが何れの周辺ＢＳのトラヒックよりも大きい場合に、自局を変更ＢＳとして選択し、当該周辺ＢＳのうち最小のトラヒックを持つ周辺ＢＳのマルチキャストＩＰアドレスを、自局の新たなマルチキャストＩＰアドレスとして選択する選択制御手段１０６Ｄとを含んで構成されている。
【００９４】
［第４実施形態の動作］
以下、第４実施形態における動作を説明する。
【００９５】
［位置登録エリアの再設定に関する一連の動作］
まず、図１８に基づき、位置登録エリアの再設定に関する一連の動作を説明する。
【００９６】
各ＢＳ１０、１１、１２は、自局配下のセル内での着信トラヒック及び通信トラヒックのどちらか一方又は両方を、連続的又は断続的に測定し（Ｓ７１）、当該測定したトラヒックデータを連続的又は周期的又は任意の契機で周辺ＢＳに対し同報することで周辺ＢＳとトラヒックデータを共有する（Ｓ７２）。そして、ＢＳ１０、１１、１２は、各ＢＳのＧＰＳにより得られた地理的位置情報から位置登録エリアの境界に近いという第１条件と、当該共有したトラヒックデータからトラヒックが多いという第２条件の２つの条件を満たすＢＳを、総合的な判断により変更ＢＳとして選択する（Ｓ７３）。ここでは、変更ＢＳとしてＢＳ１０が選択されたものとする。
【００９７】
当該ＢＳ１０はハンドオフＭＨ４０（図１）から通知されるハンドオフ前ＢＳ情報から周囲のＢＳを認識するか、或いは、ＧＰＳによる測定で得た地理的位置情報に基づき周囲ＢＳを認識し、当該認識したＢＳの中から、当該ＢＳ１０が受信しているマルチキャストＩＰアドレスと異なるマルチキャストＩＰアドレスを受信しているＢＳ１３を選択し、当該ＢＳ１３に対しＢＳ１３が持つマルチキャストＩＰアドレス管理テーブルのコピーを要請する（Ｓ７４）。
【００９８】
マルチキャストＩＰアドレス管理テーブルコピー要請を受けたＢＳ１３は、該ＢＳ１０に対し、自局（ＢＳ１３）が持つマルチキャストＩＰアドレス管理テーブルを送信する（Ｓ７５）。このマルチキャストＩＰアドレス管理テーブルを受信したＢＳ１０は、マルチキャストＩＰアドレス管理テーブルを作成し（Ｓ７６）、自局（ＢＳ１０）が受信すべきマルチキャストＩＰアドレスを認識し、ＨＡ３０に対し、該マルチキャストＩＰアドレスを持つマルチキャストグループヘの変更を要請する（Ｓ７７）。
【００９９】
マルチキャストグループの変更要請を受けたＨＡ３０は、該ＢＳ１０から通知されたマルチキャストグループに該ＢＳ１０を変更する（Ｓ７８）。マルチキャストグループ変更後、ＨＡ３０はＢＳ１０に対し、マルチキャストグループ変更完了通知を送信する（Ｓ７９）。マルチキャストＩＰアドレス変更完了通知を受信したＢＳ１０は、ＲＴ２０に対し、経路情報の更新を要請する（Ｓ８０）。経路情報更新要請を受信したＲＴ２０は、該ＢＳ１０への経路情報を更新する（Ｓ８１）。ＲＴ２０は、経路情報更新完了後、ＢＳ１０に対し、経路情報更新完了通知を送信する（Ｓ８２）。当該完了通知を受信したＢＳ１０はサービスを開始する（Ｓ８３）。
【０１００】
［ＢＳの動作フロー］
以下、本実施形態におけるＢＳ１０、ＲＴ２０、ＨＡ３０のそれぞれの動作フローを順に説明する。まず、図１９に基づきＢＳ１０の動作フローを説明する。
【０１０１】
最初に、ＢＳ１０は、自局配下のセル内での着信トラヒック及び通信トラヒックのどちらか一方又は両方のトラヒック特性を、連続的又は継続的に測定し（Ｂ７１）、当該測定したトラヒックデータを、連続的、周期的、又は任意の契機で周囲ＢＳへ同報することで周囲ＢＳと共有する（Ｂ７２）。そして、ＧＰＳにより得られた地理的位置情報から位置登録エリアの境界に近いという第１条件と、当該共有したトラヒックデータからトラヒックが多いという第２条件の２つの条件を満たすＢＳを、総合的な判断により変更ＢＳとして選択し、自局が変更ＢＳに該当すると判断したＢＳは自ら立候補する（Ｂ７３）。ここでは、ＢＳ１０が立候補するものとする。
【０１０２】
当該ＢＳ１０は、自局とは異なる位置登録エリアに含まれ且つ隣接する基地局１３を認識し、当該ＢＳ１３に対し、マルチキャストＩＰアドレス管理テーブルのコピーを要請する（Ｂ７４）。当該要請後、該ＢＳ１３から応答があるかどうかを確認する（Ｂ７５）。上記のＢ７４では、ＢＳ１０は、ハンドオフＭＨ４０から通知されるハンドオフ前ＢＳ情報、ＧＰＳにより得られる地理的位置、及び転送遅延時間の何れかに基づいて、異なる位置登録エリアに含まれ且つ隣接する基地局１３を認識することができる。
【０１０３】
確認した結果、該ＢＳ１３から応答があった場合には、当該応答に含まれるマルチキャストＩＰアドレス管理テーブルからマルチキャストＩＰアドレス管理テーブルを作成し（Ｂ７６）、当該作成したマルチキャストＩＰアドレス管理テーブルから、自局が受信すべきマルチキャストＩＰアドレスを認識し、ＨＡ３０に対し当該認識したマルチキャストＩＰアドレスを持つマルチキャストグループヘの登録変更を要請する（Ｂ７７）。登録変更要請後は、ＨＡ３０から応答があるかどうかを判断する（Ｂ７８）。
【０１０４】
判断した結果、ＨＡ３０から応答があった場合には、ＨＡ３０での設定が完了したので、次に、自局の接続しているＲＴ２０に対し、経路情報の更新を要請する（Ｂ７９）。経路情報更新要請後は、ＲＴ２０から応答があるかどうかを確認する（Ｂ８０）。確認の結果、ＲＴ２０から応答があった場合には、すべての設定完了したので、サービスを開始する（Ｂ８１）。
【０１０５】
［ＲＴの動作フロー］
次に、図２０に基づきＲＴ２０の動作フローを説明する。
【０１０６】
最初に、ＲＴ２０は、位置登録エリアを変更する予定のＢＳ１０から経路情報更新要請を受けたかどうかを判断する（Ｒ７１）。判断した結果、ＢＳ１０から経路情報更新要請を受けた場合、ＲＴ２０は経路情報管理テーブルの該ＢＳ１０への経路情報を更新する（Ｒ７２）。更に、経路情報管理テーブルにおける該ＢＳ１０への経路情報の更新が完了した旨の経路情報更新完了通知をＢＳ１０に対し通知する（Ｒ７３）。
【０１０７】
［ＨＡの動作フロー］
次に、図２１に基づきＨＡ３０の動作フローを説明する。
【０１０８】
最初に、ＨＡ３０は、何れかのＢＳからマルチキャストグループの登録変更要請を受けたかどうかを確認する（Ｈ７１）。確認した結果、何れかのＢＳ（ここではＢＳ１０）からマルチキャストグループ登録変更要請を受けた場合には、該ＢＳ１０から通知されたマルチキャストグループへ、該ＢＳ１０を再登録する（Ｈ７２）。再登録の完了後は、ＢＳ１０に対し、マルチキャストグループの登録変更が完了した旨のマルチキャストグループ登録変更完了通知を送信する（Ｈ７３）。
【０１０９】
以上の第４実施形態によれば、位置登録エリア境界付近のセルのＢＳのうち、トラヒックの多いＢＳが優先的に選択され、当該選択されたＢＳに隣接している位置登録エリア内のＢＳが受信しているマルチキャストＩＰアドレスが変更ＢＳの新たなマルチキャストＩＰアドレスとして設定される。そして、これに応じて該変更ＢＳへの経路情報も変更されるため、トラヒックの変動によるマルチキャストＩＰアドレス及び経路情報の変更管理を適正に行うことができる。このようにして、複数のＢＳは、トラヒック情報に基づいて、自律的に位置登録エリアの再設定を適正に行うことができる。
【０１１０】
【発明の効果】
以上説明したように、本発明によれば、新設ＢＳ又はＨＡは、当該新設ＢＳとの距離が最短である周辺ＢＳを、隣接ＢＳとして認識することで、比較的簡単な計算処理で隣接ＢＳを認識することができ、また、ＨＡが、通知された新設ＢＳのマルチキャストＩＰアドレスを当該新設ＢＳ配下のＭＨのマルチキャストＩＰアドレスとして登録し、ＲＴが、通知された新設ＢＳのマルチキャストＩＰアドレスを当該新設ＢＳへの経路情報として登録することで、ＢＳの新設に伴うマルチキャストＩＰアドレス及び経路情報の変更管理を適正に行うことができる。このようにして、新設時の位置登録エリアの再設定を自律的かつ適正に行うことができる。
【０１１１】
また、位置登録エリア境界付近のセルのＢＳのうち、トラヒックの多いＢＳが優先的に選択され、当該選択されたＢＳに隣接している位置登録エリア内のＢＳが受信しているマルチキャストＩＰアドレスが変更ＢＳの新たなマルチキャストＩＰアドレスとして設定される。そして、これに応じて該変更ＢＳへの経路情報も変更されるため、トラヒックの変動によるマルチキャストＩＰアドレス及び経路情報の変更管理を適正に行うことができる。このようにして、トラヒック情報に基づく位置登録エリアの再設定を適正に行うことができる。
【０１１２】
また、ＢＳの新設時に、当該新設ＢＳが自局の地理的又は周辺ＢＳとの相対的な位置を認識し、周囲ＢＳ及びＨＡとコンセンサスを行うため、ある位置登録エリアにおいて新設ＢＳが孤立した状態となることを回避することができる。
【０１１３】
更に、ＢＳが自局配下のセルの着信トラヒック及び通信トラヒックのどちらか一方又は両方を含むトラヒック特性を認識し、当該トラヒック特性をもとに位置登録エリア内のＢＳの数を動的に変化させるため、上記トラヒック特性を平滑化できるとともに、位置登録エリアの大きさを最適化でき、チャネル効率を向上させることができる。
【図面の簡単な説明】
【図１】第１〜第４実施形態における移動通信システムの構成図である。
【図２】第１実施形態におけるＢＳ新設時の一連の動作を示すチャートである。
【図３】第１実施形態におけるＢＳ撤去時の一連の動作を示すチャートである。
【図４】第１実施形態におけるＢＳの動作フローの前段を示す流れ図である。
【図５】第１実施形態におけるＢＳの動作フローの後段を示す流れ図である。
【図６】第１実施形態におけるＲＴの動作フローを示す流れ図である。
【図７】第１実施形態におけるＨＡの動作フローを示す流れ図である。
【図８】第２実施形態におけるＢＳ新設時の一連の動作を示すチャートである。
【図９】第２実施形態におけるＢＳ撤去時の一連の動作を示すチャートである。
【図１０】第２実施形態におけるＢＳの動作フローを示す流れ図である。
【図１１】第２実施形態におけるＲＴの動作フローを示す流れ図である。
【図１２】第２実施形態におけるＨＡの動作フローの前段を示す流れ図である。
【図１３】第２実施形態におけるＨＡの動作フローの後段を示す流れ図である。
【図１４】第３実施形態における位置登録エリアの再設定に関する一連の動作を示すチャートである。
【図１５】第３実施形態におけるＢＳの動作フローを示す流れ図である。
【図１６】第３実施形態におけるＲＴの動作フローを示す流れ図である。
【図１７】第３実施形態におけるＨＡの動作フローを示す流れ図である。
【図１８】第４実施形態における位置登録エリアの再設定に関する一連の動作を示すチャートである。
【図１９】第４実施形態におけるＢＳの動作フローを示す流れ図である。
【図２０】第４実施形態におけるＲＴの動作フローを示す流れ図である。
【図２１】第４実施形態におけるＨＡの動作フローを示す流れ図である。
【図２２】第１実施形態の基地局の構成を示す機能ブロック図である。
【図２３】第２実施形態の移動管理サーバの構成を示す機能ブロック図である。
【図２４】第３実施形態の移動管理サーバの構成を示す機能ブロック図である。
【図２５】第４実施形態の基地局の構成を示す機能ブロック図である。
【符号の説明】
１…移動通信システム、１０、１１、１２、１３…基地局、２０、２１…経路選択装置、３０…移動管理サーバ、４０、４１…移動局、５０…ＩＰ網、１０１…隣接基地局認識手段、１０１Ａ…位置情報収集手段、１０１Ｂ…認識手段、１０２…アドレス情報収集手段、１０３…アドレス設定手段、１０４…変更要請手段、１０５…トラヒック測定手段、１０６…選択手段、１０６Ａ…情報交換手段、１０６Ｂ…検出手段、１０６Ｃ…比較手段、１０６Ｄ…選択制御手段、１０７…変更要請手段、３０１…位置情報受信手段、３０２…登録手段、３０２Ａ…周辺基地局検出手段、３０２Ｂ…隣接基地局認識手段、３０２Ｃ…アドレス登録手段、３０３…トラヒック受信手段、３０４…選択手段、３０４Ａ…周辺基地局検出手段、３０４Ｂ…比較手段、３０４Ｃ…基地局選択手段、３０５…変更手段。
【図１】
2004274174.tif 000003
【図２】
2004274174.tif 000004
【図３】
2004274174.tif 000005
【図４】
2004274174.tif 000006
【図５】
2004274174.tif 000007
【図６】
2004274174.tif 000008
【図７】
2004274174.tif 000009
【図８】
2004274174.tif 000010
【図９】
2004274174.tif 000011
【図１０】
2004274174.tif 000012
【図１１】
2004274174.tif 000013
【図１２】
2004274174.tif 000014
【図１３】
2004274174.tif 000015
【図１４】
2004274174.tif 000016
【図１５】
2004274174.tif 000017
【図１６】
2004274174.tif 000018
【図１７】
2004274174.tif 000019
【図１８】
2004274174.tif 000020
【図１９】
2004274174.tif 000021
【図２０】
2004274174.tif 000022
【図２１】
2004274174.tif 000023
【図２２】
2004274174.tif 000024
【図２３】
2004274174.tif 000025
【図２４】
2004274174.tif 000026
【図２５】
2004274174.tif 000027